(57)【要約】【課題】より適切な時刻通知を行う。【解決手段】携帯端末１００の位置を示す位置情報を位置情報取得部１２０が取得し、インタフェース１３０部に入力された時刻情報と位置条件情報とを対応付けて記憶部１４０が記憶し、時計１１０が示す時刻が記憶部１４０に記憶されている時刻情報が示す時刻となった際、時刻情報と対応付けられて記憶されている位置条件情報と、位置情報取得部１２０が取得した位置情報とを比較部１５０が比較し、比較の結果、位置情報が位置条件情報に含まれる場合、通知部１６０が携帯端末１００の外部へ所定の通知を行う。【選択図】図２
2011242274.tif 000002
【特許請求の範囲】
【請求項１】
時計を具備する携帯端末であって、
当該携帯端末の位置を示す位置情報を、所定のタイミングで取得する位置情報取得部と、
当該携帯端末の外部から情報を入力するためのインタフェース部と、
前記インタフェース部に入力された時刻情報と位置条件情報とを対応付けて記憶する記憶部と、
前記時計が示す時刻が前記記憶部に記憶されている時刻情報が示す時刻となった際、該時刻情報と対応付けられて前記記憶部に記憶されている位置条件情報と、前記位置情報取得部が取得した位置情報とを比較する比較部と、
前記比較部における比較の結果、前記位置情報が前記位置条件情報に含まれる場合、当該携帯端末の外部へ所定の通知を行う通知部とを有する携帯端末。
【請求項２】
請求項１に記載の携帯端末において、
前記記憶部は、前記位置条件情報として、緯度と、経度と、該緯度および前記経度が示す位置からの距離範囲と、該距離範囲の内側か外側かを示す内外情報とを対応付けて記憶することを特徴とする携帯端末。
【請求項３】
請求項１に記載の携帯端末において、
前記比較部は、前記比較を行う際、前記位置情報取得部が取得した位置情報のうち、最新の位置情報を用いることを特徴とする携帯端末。
【請求項４】
請求項１に記載の携帯端末において、
前記位置情報取得部は、前記記憶部に記憶されている時刻情報が示す時刻よりも所定の時間だけ早い時刻に前記位置情報を取得することを特徴とする携帯端末。
【請求項５】
請求項４に記載の携帯端末において、
前記位置情報取得部は、該位置情報取得部が取得した過去の位置情報の取得の処理に要した時間、または、該位置情報取得部が前記位置情報を当該携帯端末との間で通信可能な無線基地局とＧＰＳとのどちらを用いて取得するかに基づいて、前記早い時刻を設定することを特徴とする携帯端末。
【請求項６】
請求項４に記載の携帯端末において、
前記位置情報取得部は、当該携帯端末との間で通信可能な無線基地局またはＧＰＳを用いて前記位置情報を取得し、該取得に前記無線基地局と前記ＧＰＳとのどちらを用いるかに基づいて、それぞれに対応した所定の時間の前記早い時刻を設定することを特徴とすることを特徴とする携帯端末。
【請求項７】
請求項１に記載の携帯端末において、
前記通知部は、当該携帯端末の外部へ所定の音を発することと、前記インタフェース部に所定の表示をさせることと、所定の振動を発することとの少なくとも１つにより前記通知を行うことを特徴とする携帯端末。
【請求項８】
請求項２に記載の携帯端末において、
前記位置情報取得部は、前記記憶部に記憶された距離範囲、または、設定時の現在時刻から設定した時刻情報までの時間、または、設定した位置条件情報が示す位置と設定時の現在位置との間の距離に基づいて、前記位置情報を取得するタイミングを変更することを特徴とする携帯端末。
【請求項９】
請求項８に記載の携帯端末において、
前記位置情報取得部は、前記記憶部に記憶された距離範囲が長いほど、または、設定時の現在時刻から設定した時刻情報までの時間が長いほど、または、設定した位置条件情報が示す位置と設定時の現在位置との間の距離が長いほど、前記タイミングの間隔を長い時間とすることを特徴とする携帯端末。
【請求項１０】
携帯端末の外部へ、あらかじめ設定された時刻になったことを通知する時刻通知方法であって、
時間を計る処理と、
当該携帯端末の位置を示す位置情報を、所定のタイミングで取得する処理と、
当該携帯端末の外部から入力された時刻情報と位置条件情報とを対応付けて記憶する処理と、
現在の時刻が前記記憶されている時刻情報が示す時刻となった際、該時刻情報と対応付けられて記憶されている前記位置条件情報と、前記取得した位置情報とを比較する処理と、
前記比較の結果、前記位置情報が前記位置条件情報に含まれる場合、当該携帯端末の外部へ所定の通知をする処理とを行う時刻通知方法。
【請求項１１】
請求項１０に記載の時刻通知方法において、
前記位置条件情報として、緯度と、経度と、該緯度および前記経度が示す位置からの距離範囲と、該距離範囲の内側か外側かを示す内外情報とを対応付けて記憶する処理を行うことを特徴とする時刻通知方法。
【請求項１２】
請求項１０に記載の時刻通知方法において、
前記比較を行う際、前記取得した位置情報のうち、最新の位置情報を用いる処理を行うことを特徴とする時刻通知方法。
【請求項１３】
請求項１０に記載の時刻通知方法において、
前記記憶されている時刻情報が示す時刻よりも所定の時間だけ早い時刻に前記位置情報を取得する処理を行うことを特徴とする時刻通知方法。
【請求項１４】
請求項１３に記載の時刻通知方法において、
前記取得した過去の位置情報の取得の処理に要した時間、または、前記位置情報を前記携帯端末との間で通信可能な無線基地局とＧＰＳとのどちらを用いて取得するかに基づいて、前記早い時刻を設定する処理を行うことを特徴とする時刻通知方法。
【請求項１５】
請求項１３に記載の時刻通知方法において、
前記携帯端末との間で通信可能な無線基地局またはＧＰＳを用いて前記位置情報を取得する処理と、
前記位置情報の取得に前記無線基地局と前記ＧＰＳとのどちらを用いるかに基づいて、それぞれに対応した所定の時間の前記早い時刻を設定する処理とを行うことを特徴とする時刻通知方法。
【請求項１６】
請求項１１に記載の時刻通知方法において、
前記記憶された距離範囲、または、設定時の現在時刻から設定した時刻情報までの時間、または、設定した位置条件情報が示す位置と設定時の現在位置との間の距離に基づいて、前記位置情報を取得するタイミングを変更する処理を行うことを特徴とする時刻通知方法。
【請求項１７】
請求項１６に記載の時刻通知方法において、
前記記憶された距離範囲が長いほど、または、設定時の現在時刻から設定した時刻情報までの時間が長いほど、または、設定した位置条件情報が示す位置と設定時の現在位置との間の距離が長いほど、前記タイミングの間隔を長い時間とする処理を行うことを特徴とする時刻通知方法。
【請求項１８】
コンピュータに、
時間を計る手順と、
当該コンピュータの位置を示す位置情報を、所定のタイミングで取得する手順と、
当該コンピュータの外部から入力された時刻情報と位置条件情報とを対応付けて記憶する手順と、
現在の時刻が前記記憶されている時刻情報が示す時刻となった際、該時刻情報と対応付けられて記憶されている前記位置条件情報と、前記取得した位置情報とを比較する手順と、
前記比較の結果、前記位置情報が前記位置条件情報に含まれる場合、当該コンピュータの外部へ所定の通知をする手順とを実行させるためのプログラム。
【請求項１９】
請求項１８に記載のプログラムにおいて、
前記位置条件情報として、緯度と、経度と、該緯度および前記経度が示す位置からの距離範囲と、該距離範囲の内側か外側かを示す内外情報とを対応付けて記憶する手順を実行させるためのプログラム。
【請求項２０】
請求項１８に記載のプログラムにおいて、
前記比較を行う際、前記取得した位置情報のうち、最新の位置情報を用いる手順を実行させるためのプログラム。
【請求項２１】
請求項１８に記載のプログラムにおいて、
前記記憶されている時刻情報が示す時刻よりも所定の時間だけ早い時刻に前記位置情報を取得する手順を実行させるためのプログラム。
【請求項２２】
請求項２１に記載のプログラムにおいて、
前記取得した過去の位置情報の取得の処理に要した時間、または、前記位置情報を当該コンピュータとの間で通信可能な無線基地局とＧＰＳとのどちらを用いて取得するかに基づいて、前記早い時刻を設定する手順を実行させるためのプログラム。
【請求項２３】
請求項２１に記載のプログラムにおいて、
当該コンピュータとの間で通信可能な無線基地局またはＧＰＳを用いて前記位置情報を取得する手順と、
前記位置情報の取得に前記無線基地局と前記ＧＰＳとのどちらを用いるかに基づいて、それぞれに対応した所定の時間の前記早い時刻を設定する手順とを実行させるためのプログラム。
【請求項２４】
請求項１９に記載のプログラムにおいて、
前記記憶された距離範囲、または、設定時の現在時刻から設定した時刻情報までの時間、または、設定した位置条件情報が示す位置と設定時の現在位置との間の距離に基づいて、前記位置情報を取得するタイミングを変更する手順を実行させるためのプログラム。
【請求項２５】
請求項２４に記載のプログラムにおいて、
前記記憶された距離範囲が長いほど、または、設定時の現在時刻から設定した時刻情報までの時間が長いほど、または、設定した位置条件情報が示す位置と設定時の現在位置との間の距離が長いほど、前記タイミングの間隔を長い時間とする手順を実行させるためのプログラム。
【発明の詳細な説明】
【技術分野】
【０００１】
本発明は、時刻を通知する携帯端末、時刻通知方法およびプログラムに関する。
【背景技術】
【０００２】
近年、携帯電話等の携帯通信端末には、電話機能のほか、時計機能、電子メール機能、インターネット接続機能、撮影機能、現在位置表示機能、目覚まし時計機能（時刻通知機能）等、多種多様な機能が搭載されている（例えば、非特許文献１参照。）。
【０００３】
特に、このような携帯通信端末に搭載された目覚まし時計機能を目覚まし（アラーム）手段として利用している利用者の数は、一般的な目覚まし時計を目覚まし手段として利用している利用者の数よりも多いという統計がとれている。
【先行技術文献】
【非特許文献】
【０００４】
【非特許文献１】「ドコモが描くモバイル社会」第４０１２回例会、２００４年２月２０日、［ｏｎｌｉｎｅ］、［２０１０年４月２８日検索］、インターネット<URL: http://www.osaka-rc.org/html/speech/speech#20040220.htm>
【発明の概要】
【発明が解決しようとする課題】
【０００５】
しかしながら、一般的に利用されている携帯通信端末に搭載された目覚まし時計機能は、設定した時刻になると所定の音等で外部へ通知を行うものであり、時刻以外で設定可能な内容として、毎日の繰り返しかどうかや、曜日設定、音量、音の種類等である。
【０００６】
例えば、旅行に出かけており、旅行先では、朝、ゆっくりと寝ていたいときなどは、いつもの起床時刻には目覚ましを鳴らせたくないケースがある。そのような場合は、携帯通信端末に設定されている時刻を変更したり、目覚ましを鳴らないモードに設定を変更したりしなければならない。
【０００７】
そのため、その変更に手間がかかってしまうという問題点がある。また、その変更を忘れてしまうと、せっかく旅行に来ているにもかかわらず、早い時刻に起こされてしまうという問題点がある。
【０００８】
本発明の目的は、上述した課題を解決する携帯端末、時刻通知方法およびプログラムを提供することである。
【課題を解決するための手段】
【０００９】
本発明の携帯端末は、
時計を具備する携帯端末であって、
当該携帯端末の位置を示す位置情報を、所定のタイミングで取得する位置情報取得部と、
当該携帯端末の外部から情報を入力するためのインタフェース部と、
前記インタフェース部に入力された時刻情報と位置条件情報とを対応付けて記憶する記憶部と、
前記時計が示す時刻が前記記憶部に記憶されている時刻情報が示す時刻となった際、該時刻情報と対応付けられて前記記憶部に記憶されている位置条件情報と、前記位置情報取得部が取得した位置情報とを比較する比較部と、
前記比較部における比較の結果、前記位置情報が前記位置条件情報に含まれる場合、当該携帯端末の外部へ所定の通知を行う通知部とを有する。
【００１０】
また、本発明の時刻通知方法は、
携帯端末の外部へ、あらかじめ設定された時刻になったことを通知する時刻通知方法であって、
時間を計る処理と、
当該携帯端末の位置を示す位置情報を、所定のタイミングで取得する処理と、
当該携帯端末の外部から入力された時刻情報と位置条件情報とを対応付けて記憶する処理と、
現在の時刻が前記記憶されている時刻情報が示す時刻となった際、該時刻情報と対応付けられて記憶されている前記位置条件情報と、前記取得した位置情報とを比較する処理と、
前記比較の結果、前記位置情報が前記位置条件情報に含まれる場合、当該携帯端末の外部へ所定の通知をする処理とを行う。
【００１１】
また、本発明のプログラムは、
コンピュータに実行させるためのプログラムであって、
時間を計る手順と、
当該コンピュータの位置を示す位置情報を、所定のタイミングで取得する手順と、
当該コンピュータの外部から入力された時刻情報と位置条件情報とを対応付けて記憶する手順と、
現在の時刻が前記記憶されている時刻情報が示す時刻となった際、該時刻情報と対応付けられて記憶されている前記位置条件情報と、前記取得した位置情報とを比較する手順と、
前記比較の結果、前記位置情報が前記位置条件情報に含まれる場合、当該コンピュータの外部へ所定の通知をする手順とを実行させる。
【発明の効果】
【００１２】
以上説明したように、本発明においては、より適切な時刻通知を行うことができる。
【図面の簡単な説明】
【００１３】
【図１】本発明の携帯端末を用いた通信システムの一形態を示す図である。
【図２】図１に示した携帯端末の内部構成の一例を示す図である。
【図３】図２に示した記憶部に記憶された時刻情報と位置条件情報との対応付けの一例を示す図である。
【図４】図１に示した携帯端末において時刻通知を行うための設定方法を説明するためのフローチャートである。
【図５】ステップＳ２にて図２に示したインタフェース部に表示された設定画面の一例を示す図である。
【図６】図５に示した設定キーが選択された場合に図２に示したインタフェース部に表示される画面の一例を示す図である。
【図７】図６に示した次キーが選択された場合に図２に示したインタフェース部に表示される画面の一例を示す図である。
【図８】図７に示した次キーが選択された場合に図２に示したインタフェース部に表示される画面の一例を示す図である。
【図９】利用者によって図８に示した地図表示キーが選択された場合、図２に示したインタフェース部に地図が表示された画面の一例を示す図である。
【図１０】利用者によって、図８に示した距離範囲設定キーが選択された場合、図２に示したインタフェース部に表示された距離範囲を設定するための画面の一例を示す図である。
【図１１】利用者によって、図８に示した内外設定キーが選択された場合、図２に示したインタフェース部に表示された、距離範囲の内側か外側かを設定するための画面の一例を示す図である。
【図１２】本形態における時刻通知方法を説明するためのフローチャートである。
【図１３】ステップＳ１３の比較に用いる位置情報の一例を説明するためのシーケンス図である。
【図１４】ステップＳ１３の比較に用いる位置情報の他の例を説明するためのシーケンス図である。
【発明を実施するための形態】
【００１４】
以下に、本発明の実施の形態について図面を参照して説明する。
【００１５】
図１は、本発明の携帯端末を用いた通信システムの一形態を示す図である。
【００１６】
本形態は図１に示すように、携帯端末１００と、無線基地局２００と、ＧＰＳ衛星３００とから構成されている。
【００１７】
無線基地局２００は、携帯端末１００との間で無線通信を行う（通信可能な）一般的な無線基地局である。
【００１８】
ＧＰＳ衛星３００は、ＧＰＳ（Ｇｌｏｂａｌ  Ｐｏｓｉｔｉｏｎｉｎｇ  Ｓｙｓｔｅｍ）で用いられる位置情報取得のための人工衛星である。
【００１９】
携帯端末１００は、通信機能を具備し、利用者が携帯可能な移動通信端末である。
【００２０】
図２は、図１に示した携帯端末１００の内部構成の一例を示す図である。
【００２１】
図１に示した携帯端末１００には図２に示すように、時計１１０と、位置情報取得部１２０と、インタフェース部１３０と、記憶部１４０と、比較部１５０と、通知部１６０とが設けられている。なお、図２には、図１に示した携帯端末１００が具備する構成要素のうち、本発明に係わる構成要素のみを示した。
【００２２】
時計１１０は、時間を計り、現在時刻を表示するものである。これは、一般的な携帯端末に設けられている時計で良い。
【００２３】
位置情報取得部１２０は、携帯端末１００の位置を示す位置情報を、あらかじめ設定されたタイミングで取得する。このとき、位置情報取得部１２０は、当該位置情報をＧＰＳ衛星３００から取得するものであっても良いし、無線基地局２００から取得するものであっても良い。以下、位置情報取得部１２０が位置情報をＧＰＳ衛星３００から取得する場合を例に挙げて説明する。また、設定されたタイミングとは、一定の周期を持つ周期的なものであっても良いし、ある規則に基づいたタイミングであっても良い。
【００２４】
インタフェース部１３０は、携帯端末１００の外部から情報を入力するために、携帯端末１００を操作する利用者によって操作されるものである。例えば、インタフェース部１３０には、携帯端末１００に設けられたボタンキーや、タッチパネル等が含まれるものあっても良い。また、インタフェース部１３０は、動画や静止画等の画面を表示する。例えば、インタフェース部１３０には、ディスプレイ等が含まれるものであっても良い。
【００２５】
記憶部１４０は、インタフェース部１３０に入力された時刻情報と位置条件情報とを対応付けて記憶する。
【００２６】
図３は、図２に示した記憶部１４０に記憶された時刻情報と位置条件情報との対応付けの一例を示す図である。
【００２７】
図２に示した記憶部１４０には図３に示すように、時刻情報と、位置条件情報とが対応付けられて記憶されている。また、それぞれの対応付けに、番号（Ｎｏ．）が付与されている。また、位置条件情報は、緯度と、経度と、距離範囲と、内外情報とが対応付けられたものとなっている。
【００２８】
緯度および経度は、一般的に用いられる緯度および経度である。
【００２９】
距離範囲は、緯度および経度が示す位置からの距離（例えば、半径）を示す。
【００３０】
内外情報は、距離範囲の内側か、それとも外側かを示す情報である。
【００３１】
これらの情報の使い方については、後述する。
【００３２】
図３に示した例では、３つの時刻情報と位置条件情報との対応付けが記憶可能となっており、そのうち２つの時刻情報と位置条件情報との対応付けが記憶されている。なお、記憶部１４０に記憶可能な対応付けの数については、３つに限らない。
【００３３】
時刻情報「６：３０」と、緯度「北緯：○○°○○′○○″」と、経度「東経：△△°△△′△△″」と、距離範囲「１００ｍ」と、内外情報「内」とが対応付けられて、１つ目（Ｎｏ．１）の対応付けとして記憶されている。また、時刻情報「７：００」と、緯度「北緯：□□°□□′□□″」と、経度「東経：××°××′××″」と、距離範囲「１００ｍ」と、内外情報「内」とが対応付けられて、２つ目（Ｎｏ．２）の対応付けとして記憶されている。また、３つ目（Ｎｏ．３）は、記憶されていない（未登録である）。
【００３４】
また、図３には示していないが、曜日を示す情報や、毎月の指定の日を示す情報、音量、音の種類等も対応付けられて記憶されているものであっても良い。
【００３５】
比較部１５０は、時計１１０が示す時刻が、記憶部１４０に記憶されている時刻情報が示す時刻となった際、当該時刻情報と対応付けられて記憶部１４０に記憶されている位置条件情報と、位置情報取得部１２０が取得した位置情報とを比較する。このとき、比較部１５０は、位置情報取得部１２０が取得した位置情報のうち、最新の位置情報を用いる。
【００３６】
通知部１６０は、比較部１５０における比較の結果、位置情報取得部１２０が取得した位置情報が記憶部１４０に記憶されている位置条件情報に含まれる場合、携帯端末１００の外部へ所定の通知を行う。このとき、通知部１６０は、携帯端末１００の外部へ所定の音を発することにより通知を行うものであっても良いし、インタフェース部１３０に所定の表示をさせることにより通知を行うものであっても良いし、所定の振動を発すること（例えば、バイブレータ機能等）により通知を行うものであっても良い。
【００３７】
以下に、図１に示した携帯端末１００において時刻通知を行うための設定方法について説明する。
【００３８】
図４は、図１に示した携帯端末１００において時刻通知を行うための設定方法を説明するためのフローチャートである。
【００３９】
まず、利用者による携帯端末１００への所定の操作によって、時刻通知の設定機能が起動すると（ステップＳ１）、設定を行うための設定画面がインタフェース部１３０に表示される（ステップＳ２）。
【００４０】
ここで、時刻通知の設定機能を起動させるためには、一般的に用いられているような仕組みを用いれば良く、ここでは特に規定しない。例えば、携帯端末１００に具備されたメニューの一覧（メニューの表であっても、それぞれのメニュー専用のアイコンが所定の規則で並んでいるものであってもかまわない）をインタフェース部１３０に表示させ、所望のメニューを利用者がインタフェース部１３０を操作することにより選択して起動させるものであっても良い。
【００４１】
図５は、ステップＳ２にて図２に示したインタフェース部１３０に表示された設定画面の一例を示す図である。
【００４２】
図２に示したインタフェース部１３０には図５に示すように、時刻通知を行う時刻を設定するための画面が表示される。図５には、携帯端末１００に３つの時刻（時刻通知１〜３）が設定できる場合を例に挙げて示している。また、現在、時刻通知１として６時３０分が設定されており、また、時刻通知２として７時が設定されており、また、時刻通知３には設定されていない。なお、この時刻通知１〜３は、図３に示したＮｏ．１〜３とそれぞれ対応している。
【００４３】
また、時刻通知１〜３それぞれを設定するための設定キー１３１−１〜１３１−３がそれぞれに表示され、その設定キー１３１−１〜１３１−３を用いて時刻を設定した後、選択されることにより設定した時刻通知を決定させるための決定キー１３１−４が表示されている。
【００４４】
例えば、ここで、利用者によって時刻通知１の設定キー１３１−１が選択されたとする。
【００４５】
図６は、図５に示した設定キー１３１−１が選択された場合に図２に示したインタフェース部１３０に表示される画面の一例を示す図である。
【００４６】
図５に示した設定キー１３１−１が選択された場合、図６に示すような時刻を設定するための画面がインタフェース部１３０に表示される。このとき、インタフェース部１３０には、時刻設定欄１３２−１と、次キー１３２−２とが表示される。
【００４７】
時刻設定欄１３２−１は、通知を行う時刻を設定（入力）するための欄である。また、時刻設定欄１３２−１には、「時」と「分」とが個別に入力できるようになっており、所望の「時」と「分」とが入力された後、次キー１３２−２が選択されると、その次の設定画面へ移行する。
【００４８】
この時刻設定欄１３２−１は、数字を直接入力できるものであっても良いし、プルダウンメニューを用いて複数の数字（「時」および「分」）から所望の数字を選択できるものであっても良い。つまり、所望の時刻を入力できるものであれば、その表示形態および入力形態については特に規定しない。
【００４９】
次キー１３２−２は、その次の設定画面へ移行するために選択されるキーである。つまり、次キー１３２−２が利用者によって選択されると、その次の設定画面がインタフェース部１３０に表示される。なお、時刻設定欄１３２−１に何も設定されていない状態で次キー１３２−２が選択された場合、その次の設定画面へ移行しない（反応せずに、画面がそのまま変化しない）ものであっても良い。
【００５０】
時刻が設定された後、次キー１３２−２が選択された場合、例えば、次の設定画面として、曜日を設定するための画面が表示されるものであっても良い。
【００５１】
図７は、図６に示した次キー１３２−２が選択された場合に図２に示したインタフェース部１３０に表示される画面の一例を示す図である。
【００５２】
図６に示した次キー１３２−２が選択された場合、図７に示すような曜日を設定する画面がインタフェース部１３０に表示される。このとき、曜日を設定するための曜日設定ボタン１３３−１と、その次の設定画面へ移行するための次キー１３３−２とが表示される。
【００５３】
曜日設定ボタン１３３−１は、時刻通知を行う曜日を設定するためのボタンである。
【００５４】
例えば、図７に示した曜日設定ボタン１３３−１のうち「毎日」のボタンが選択された場合、図６に示した画面で設定された時刻になると、曜日にかかわらず時刻通知の処理が行われる。また、図７に示した例のように、曜日設定ボタン１３３−１のうち「指定」のボタンが選択され、月曜日と、火曜日と、水曜日と、木曜日と、金曜日とが選択された場合、平日の図６に示した画面で設定された時刻になると、時刻通知の処理が行われる。このような設定は、一般的な携帯端末に具備された時刻通知機能で用いられているものである。
【００５５】
なお、図７には、曜日設定ボタン１３３−１がラジオボタンである場合を例に挙げて示しているが、曜日を選択可能なものであれば良く、その表示形態および入力形態については特に規定しない。例えば、曜日を直接入力できるものであっても良いし、チェックボックスをそれぞれの曜日に設けて所望の曜日を選択できるものであっても良い。
【００５６】
次キー１３３−２は、その次の設定画面へ移行するために選択されるキーである。つまり、次キー１３３−２が利用者によって選択されると、その次の設定画面がインタフェース部１３０に表示される。なお、曜日設定ボタン１３３−１のいずれも選択されていない状態で次キー１３３−２が選択された場合、その次の設定画面へ移行しない（反応せずに、画面がそのまま変化しない）ものであっても良い。
【００５７】
曜日が設定された後、次キー１３３−２が選択された場合、例えば、次の設定画面として、位置条件を設定するための画面が表示されるものであっても良い。
【００５８】
図８は、図７に示した次キー１３３−２が選択された場合に図２に示したインタフェース部１３０に表示される画面の一例を示す図である。
【００５９】
図７に示した次キー１３３−２が選択された場合、図８に示すような位置条件を設定する画面がインタフェース部１３０に表示される。このとき、インタフェース部１３０に地図表示キー１３４−１と、距離範囲設定キー１３４−２と、内外設定キー１３４−３と、決定キー１３４−４とが表示される。
【００６０】
地図表示キー１３４−１は、インタフェース部１３０に地図を表示させるためのキーである。
【００６１】
距離範囲設定キー１３４−２は、距離範囲を設定するためのキーである。
【００６２】
内外設定キー１３４−３は、距離範囲の内側か外側かを設定するためのキーである。
【００６３】
決定キー１３４−４は、これら設定した位置条件を決定させるためキーである。
【００６４】
ここで、まず、利用者によって地図表示キー１３４−１が選択された場合の処理について説明する。
【００６５】
利用者によって地図表示キー１３４−１が選択された場合、インタフェース部１３０に地図が表示される。
【００６６】
図９は、利用者によって図８に示した地図表示キー１３４−１が選択された場合、図２に示したインタフェース部１３０に地図が表示された画面の一例を示す図である。
【００６７】
インタフェース部１３０には図９に示すように、地図が表示される。このとき地図と共に、拡大キー１３５−１と、縮小キー１３５−２と、移動キー１３５−３と、位置設定キー１３５−４と、クリアキー１３５−５とが表示される。
【００６８】
インタフェース部１３０に表示される地図は、携帯端末１００が地図配信サイトから取得したものや、携帯端末１００の記憶部１４０にあらかじめ記憶されているものである。
【００６９】
拡大キー１３５−１は、表示されている地図を拡大するためのキーである。利用者によって拡大キー１３５−１が選択されると、表示されている地図が、あらかじめ設定されている倍率で拡大されて表示される。
【００７０】
縮小キー１３５−２は、表示されている地図を縮小するためのキーである。利用者によって縮小キー１３５−２が選択されると、表示されている地図が、あらかじめ設定されている倍率で縮小されて表示される。
【００７１】
移動キー１３５−３は、表示されている地図を移動させるキーである。つまり、移動キー１３５−３は、地図のうち、インタフェース部１３０に表示する範囲を移動させるためのキーである。図９では、移動キー１３５−３は、表示されている地図の４つの辺それぞれの周辺に、三角形の矢印として表示されているが、この表示方法および表示形態は特に限定しない。
【００７２】
地図の右側に表示されている移動キー１３５−３が利用者によって選択されると、表示されている地図が所定の距離だけ右方向へ移動する。また、地図の左側に表示されている移動キー１３５−３が利用者によって選択されると、表示されている地図が所定の距離だけ左方向へ移動する。また、地図の上側に表示されている移動キー１３５−３が利用者によって選択されると、表示されている地図が所定の距離だけ上方向へ移動する。また、地図の下側に表示されている移動キー１３５−３が利用者によって選択されると、表示されている地図が所定の距離だけ下方向へ移動する。ここで、移動方向（移動キー１３５−３の位置）を上下左右として説明したが、当該地図が、北方向が上側に表示されている場合、上側が北側、下側が南側、右側が東側、左側が西側となる。
【００７３】
位置設定キー１３５−４は、時刻通知の基点となる位置を設定するためのキーである。
【００７４】
図９に示した地図上に、十字の印（以下、十字印と称する）が示されており、これが時刻通知の基点となる。この十字印を移動させるには、インタフェース部１３０の地図上に表示されているカーソル（図９においては、矢印の形状で表示）を用いるものであっても良いし、他の方法（例えば、十字印を画面中心に固定したものであって、移動キー１３５−３を用いて表示させる地図を移動することにより、所望の位置を画面中心に移動させるもの）で移動させるものであっても良い。所望の位置へ移動させた後、利用者によって位置設定キー１３５−４が選択されると、時刻通知の基点が確定される。また、図９にて破線の円で示すような、基点からの距離範囲が設定可能なものであっても良い。その場合、利用者が、カーソル等を用いてこの円の大きさを変更することにより、距離範囲が変更される。
【００７５】
クリアキー１３５−５は、表示されている地図で設定した内容をクリアするためのキーである。利用者によってクリアキー１３５−５が選択されると、それまで、拡大キー１３５−１や縮小キー１３５−２を用いて行われた拡大・縮小表示や、移動キー１３５−３を用いて行われた地図の移動、また十字印および位置設定キー１３５−４を用いて行われた基点の決定がクリアされる。
【００７６】
利用者によって位置設定キー１３５−４が選択されると、インタフェース部１３０に表示される画面が、図８に示した画面に戻る。
【００７７】
続いて、利用者によって、図８に示した距離範囲設定キー１３４−２が選択された場合、距離範囲を設定するための画面がインタフェース部１３０に表示される。
【００７８】
図１０は、利用者によって、図８に示した距離範囲設定キー１３４−２が選択された場合、図２に示したインタフェース部１３０に表示された距離範囲を設定するための画面の一例を示す図である。
【００７９】
図８に示した距離範囲設定キー１３４−２が選択された場合、図１０に示すように、距離範囲設定キー１３４−２がプルダウンメニューとして表示され、利用者が所望の距離範囲を設定できるようになる。
【００８０】
例えば、図１０に示すようにプルダウンメニューとして「５０ｍ」、「１００ｍ」、「５００ｍ」、「１ｋｍ」、「５ｋｍ」および「１０ｋｍ」が表示されるものであっても良い。この場合、利用者がインタフェース部１３０を操作することにより、カーソルを移動させ、その中から所望の距離範囲を選択（設定）することができる。図１０に示した例では、「１００ｍ」が選択された場合を示している。
【００８１】
利用者によって距離範囲が選択（設定）されると、インタフェース部１３０に表示される画面が、図８に示した画面に戻る。
【００８２】
続いて、利用者によって、図８に示した内外設定キー１３４−３が選択された場合、距離範囲の内側か外側かを設定するための画面がインタフェース部１３０に表示される。
【００８３】
図１１は、利用者によって、図８に示した内外設定キー１３４−３が選択された場合、図２に示したインタフェース部１３０に表示された、距離範囲の内側か外側かを設定するための画面の一例を示す図である。
【００８４】
図８に示した内外設定キー１３４−３が選択された場合、図１１に示すように、内外設定キー１３４−３がプルダウンメニューとして表示され、時刻通知を行う対象を距離範囲設定キー１３４−２で設定したエリアの内側とするか、それとも外側とするかを、利用者が設定できるようになる。
【００８５】
例えば、図１１に示すようにプルダウンメニューとして「エリア内」および「エリア外」が表示されるものであっても良い。この場合、利用者がインタフェース部１３０を操作することにより、カーソルを移動させ、その中からどちらかを選択（設定）することができる。図１１に示した例では、「エリア内」が選択された場合を示している。
【００８６】
利用者によって内外設定キー１３４−３による選択が完了すると、インタフェース部１３０に表示される画面が、図８に示した画面に戻る。
【００８７】
なお、地図表示キー１３４−１、距離範囲設定キー１３４−２、内外設定キー１３４−３の順序で設定された場合を例に挙げて説明したが、その設定順序については特に規定しない。
【００８８】
その後、決定キー１３４−４が選択されると、上述した内容が決定し、すべての設定が完了したと判断され（ステップＳ３）、設定された内容が記憶部１４０に記憶される（ステップＳ４）。具体的には、以下のように記憶される。
【００８９】
図６に示した画面上で設定された時刻が、図３に示した時刻情報に設定される。また、図９に示した画面上で設定された基点が、図３に緯度および経度に記憶される。また、図１０に示した画面上で設定された距離範囲が、図３に示した距離範囲に記憶される。また、図１１に示した画面上で設定された内外情報が、図３に示した内外情報に記憶される。
【００９０】
図６〜１１を用いて説明した内容を設定した場合、記憶部１４０には、図３に示したＮｏ．１の内容が記憶される。
【００９１】
なお、図５〜１１には、時刻通知の設定画面の一例を示して説明したが、設定画面はこの例に限定するものではなく、様々な設定画面（例えば、ＧＵＩ：Ｇｒａｐｈｉｃａｌ  Ｕｓｅｒ  Ｉｎｔｅｒｆａｃｅ）が考えられる。設定を行うために起動するアプリケーションが異なれば、表示される画面が異なる場合が考えられることは言うまでもなく、それぞれの設定が可能なものであれば、どのような表示を行うものであってもかまわない。
【００９２】
以下に、本形態における時刻通知方法について説明する。
【００９３】
図１２は、本形態における時刻通知方法を説明するためのフローチャートである。
【００９４】
携帯端末１００の位置情報取得部１２０によって、携帯端末１００の位置情報があらかじめ設定されたタイミング取得される（ステップＳ１１）。この取得のタイミングは上述したように、一定の周期を持つ周期的なものであっても良いし、ある規則に基づいたタイミングであっても良い。
【００９５】
また、比較部１５０によって、時計１１０が示す時刻と記憶部１４０に記憶されている時刻情報（図３に示した時刻情報）が示す時刻とが一致するかどうかが比較される（ステップＳ１２）。
【００９６】
時計１１０が示す時刻が記憶部１４０に記憶されている時刻情報が示す時刻となった場合、当該時刻情報と対応付けられて記憶部１４０に記憶されている位置条件情報と、位置情報取得部１２０によって取得された位置情報とが、比較部１５０によって比較される（ステップＳ１３）。具体的には、位置情報取得部１２０によって取得された位置情報が、記憶部１４０に記憶されている位置条件情報に含まれるかどうかが判断される。
【００９７】
例えば、図３に示した対応付けが記憶部１４０に記憶されている場合、６時３０分の時点で、位置情報取得部１２０によって取得されている携帯端末１００の位置情報が、北緯が○○°○○′○○″かつ東経が△△°△△′△△″である位置から１００ｍの範囲内である場合、Ｎｏ．１の位置条件情報に含まれると判断される。また、７時の時点で、位置情報取得部１２０によって取得されている携帯端末１００の位置情報が、北緯が□□°□□′□□″かつ東経が××°××′××″である位置から１００ｍの範囲内である場合、Ｎｏ．２の位置条件情報に含まれると判断される。
【００９８】
また、ここで比較に使用する位置情報は、位置情報取得部１２０が取得した位置情報のうち、最新の位置情報を用いる。
【００９９】
図１３は、ステップＳ１３の比較に用いる位置情報の一例を説明するためのシーケンス図である。
【０１００】
上述したように、携帯端末１００の位置情報は、位置情報取得部１２０によってＧＰＳ衛星３００から定期的に取得されている（ステップＳ２１〜Ｓ２４）。
【０１０１】
ここで、時計１１０が示す現在時刻が記憶部１４０に記憶されている設定時刻となった際（ステップＳ２５）、ステップＳ１３の比較に用いられる位置情報は、最新の位置情報であるステップＳ２４で取得された位置情報となる。
【０１０２】
図１４は、ステップＳ１３の比較に用いる位置情報の他の例を説明するためのシーケンス図である。
【０１０３】
上述したように、携帯端末１００の位置情報は、位置情報取得部１２０によってＧＰＳ衛星３００から定期的に取得されている（ステップＳ３１〜Ｓ３４）。ここでステップＳ３４においては、何らかの原因で位置情報が取得できなかったとする。
【０１０４】
その後、時計１１０が示す現在時刻が記憶部１４０に記憶されている設定時刻となった際（ステップＳ３５）、ステップＳ１３の比較に用いられる位置情報は、取得できた位置情報のうち最新の位置情報であるステップＳ３３で取得された位置情報となる。
【０１０５】
そして、位置情報取得部１２０によって取得された位置情報が、記憶部１４０に記憶されている位置条件情報に含まれると判断された場合、通知部１６０によって所定の通知が行われる（ステップＳ１４）。この通知は上述したように、携帯端末１００の外部へ所定の音を発することにより通知を行うものであっても良いし、インタフェース部１３０に所定の表示をさせることにより通知を行うものであっても良いし、所定の振動を発することにより通知を行うものであっても良い。また、スヌーズ機能や、音量、音や表示の種類を選択できるものであっても良い。
【０１０６】
なお、位置情報取得部１２０は、一定の周期を位置情報の取得のタイミングとするものであっても良いし、それに加え、記憶部１４０に記憶されている時刻情報が示す時刻よりも所定の時間だけ早い時刻を位置情報の取得のタイミングとするものであっても良い。例えば、記憶部１４０に記憶されている時刻情報が「７時」である場合、その１分前の「６時５９分」に所得するものであっても良い。また、このとき、位置情報取得部１２０が取得した過去の位置情報の取得の処理に要した時間または、位置情報取得部１２０が位置情報を無線基地局２００とＧＰＳ衛星３００とのどちらから取得するかに基づいて、「早い時刻」を設定するものであっても良い。
【０１０７】
また、位置情報取得部１２０は、記憶部１４０に記憶された距離範囲に基づいて、位置情報を取得するタイミングを変更するものであっても良い。例えば、位置情報取得部１２０は、記憶部１４０に記憶された距離範囲が長いほど、タイミングの間隔を長い時間とするものであっても良い。また、設定時の現在時刻から設定した時刻情報までの時間が長いほど、タイミングの間隔を長い時間とするものであっても良い。また、設定した位置条件情報が示す位置と設定時の現在位置との間の距離が長いほど、タイミングの間隔を長い時間とするものであっても良い。
【０１０８】
このように、時刻と位置とを設定可能とし、設定された時刻になったとき、携帯端末１００が設定された位置に存在する場合のみ、通知を行う。これにより、より適切な時刻通知を行うことができる。
【０１０９】
例えば、図３に示したＮｏ．１の設定（通常６時３０分に起床しており、自宅の位置が、北緯○○°○○′○○″、東経△△°△△′△△″とする）をしておけば、位置条件に含まれない旅行先等では６時３０分に通知がされることない。これにより、旅行先等でも、時刻通知の設定を変更することなく、携帯端末１００によって６時３０分に起こされることを避けることができる。
【０１１０】
また、上述した携帯端末１００に設けられた各構成要素が行う処理は、目的に応じてそれぞれ作製された論理回路で行うようにしても良い。また、処理内容を手順として記述したプログラムを携帯端末１００にて読取可能な記録媒体に記録し、この記録媒体に記録されたプログラムを携帯端末１００に読み込ませ、実行するものであっても良い。携帯端末１００にて読取可能な記録媒体とは、フロッピー（登録商標）ディスク、光磁気ディスク、ＤＶＤ、ＣＤなどの移設可能な記録媒体の他、携帯端末１００に内蔵されたＲＯＭ、ＲＡＭ等のメモリやＨＤＤ等を指す。この記録媒体に記録されたプログラムは、携帯端末１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【０１１１】
１００    携帯端末
１１０    時計
１２０    位置情報取得部
１３０    インタフェース部
１３１−１〜１３１−３    設定キー
１３１−４，１３４−４    決定キー
１３２−１    時刻設定欄
１３２−２，１３３−２    次キー
１３３−１    曜日設定ボタン
１３４−１    地図表示キー
１３４−２    距離範囲設定キー
１３４−３    内外設定キー
１３５−１    拡大キー
１３５−２    縮小キー
１３５−３    移動キー
１３５−４    位置設定キー
１３５−５    クリアキー
１４０    記憶部
１５０    比較部
１６０    通知部
２００    無線基地局
３００    ＧＰＳ衛星
【図１】
2011242274.tif 000003
【図２】
2011242274.tif 000004
【図３】
2011242274.tif 000005
【図４】
2011242274.tif 000006
【図５】
2011242274.tif 000007
【図６】
2011242274.tif 000008
【図７】
2011242274.tif 000009
【図８】
2011242274.tif 000010
【図９】
2011242274.tif 000011
【図１０】
2011242274.tif 000012
【図１１】
2011242274.tif 000013
【図１２】
2011242274.tif 000014
【図１３】
2011242274.tif 000015
【図１４】
2011242274.tif 000016